(57)【要約】      （修正有）【課題】  都道府県下の市町村に於ける、街路灯及び防犯灯を管理、検索する。【解決手段】  市、町村の街区、町名と丁目とをコード番号で区分設定し、その番地を基本にして街路灯及び防犯灯を管理するとともに、これらの管理番号をデーターベースとして組成する事によって、街路灯及び防犯灯をピンポイントとして町名、丁目と番地を検索する一方、このデーターベースを地図ソフトに関連付ける事で、街路灯及び防犯灯をピンポイントにして、地図ソフト上で位置検索を可能とした管理体系を確立させた上で、これらの街路灯及び防犯灯が設置された電柱やポールに、ＩＣタグを内蔵した発信器を設置する事によって、ＩＣタグの情報を携帯電話に自動的に記憶させる事ができ、この記憶された情報を、他機である携帯電話からの通話信号で読み取る事ができる。【選択図】なし【特許請求の範囲】
【請求項１】
市、町村の街区に設置されている街路灯及び防犯灯に、一連のコード番号を付設設定し、これが町名と丁目、そして番地を表記したコード番号とする。このコード番号をデーターベースとして組成する事によって、街路灯及び防犯灯をピンポイントとして町名、丁目と番地を検索する街路灯及び防犯灯の位置検索方式。
【請求項２】
コード番号を付設した街路灯及び防犯灯に、ＩＣタグを内蔵する発信器を設置し、このＩＣタグの情報を携帯電話に自動的に記憶させ、他機である携帯電話で、記憶内容を確認する位置検索方式。
【発明の詳細な説明】
【技術分野】
【０００１】  ＩＴ化を促進させる行政サービスを目的とし、位置検索と共に、その位置情報を相互の当事者間で、携帯電話を介して確認する。
【背景技術】
【０００２】
【特許文献１】  多数の文献があり、不明
【非特許文献１】  多数の文献があり、不明
【発明の開示】
【発明が解決しょうとする課題】
【０００３】  都道府県下の市町村に於ける、街路灯及び防犯灯を管理し、検索すると共に、その位置検索を地図ソフト上でスクロールする事と、この街路灯及び防犯灯が設置された位置情報を、携帯電話に記憶させ、記憶された情報を、限定された当事者間の携帯電話で確認することが出来る。
【０００４】  市町村に設置された街路灯及び防犯灯をピンポイントとして、事故通報や犯罪通報が的確に且つ、迅速な通報手段として活用する。
【課題を解決するための手段】
【０００５】  この発明は、市、町村の街区、町名と丁目とをコード番号で区分設定し、その番地を基本にして街路灯及び防犯灯を管理するとともに、これらの管理番号をデーターベースとして組成する事によって、街路灯及び防犯灯をピンポイントとして町名、丁目と番地を検索する事ができるのである。
大都市に於ける街区は、ほゞ９９以内であることから、２桁のコード番号を与えれば、０１〜９９の範囲である。例（０３−‥‥−‥‥）
つぎに、町名については、県下、都下、府下、市の町名として、１００までゞあり、大多数は０１〜９９の範囲である。したがって、町名のコード番号としては、２桁の数字で与えられる。しかし、町名が１００を超える場合は、３桁を必要とする。例（０３−９９・−‥‥）
つぎに、丁目についても、１０丁目を越える場合は極めて少なく、通常は１〜９までの１桁で与える事ができる。もちろん１０丁目以上の場合は、２桁の数字を与える必要がある。例（０３−９９２−‥‥）
さて、番地に関しては、県下の市町村では１０００を超える場合も見受けられるが、政令指定された市に於いては、１０００番地を超える丁目は極めて稀であり、多くは１００番地以内である。
したがって、通常的に番地として与えられるのは、０１〜９９までの２桁の数字となる。例（０３−９９２−０８‥）
最後に、街路灯及び防犯灯が、所定の番地内に何灯が設置されているかを確認する数字が必要となる。
一般的に、同じ番地が設定されている地域は、限定された狭い範囲であり、設置されている街路灯及び防犯灯の数は、数十灯の範囲である。
したがって、この管理番号の末尾に位置する数字は、同一番地の地域内でスクロールが可能であり、データーベースの組成に際して、別枠の輪番として付設設定する。この理由については後述する。
必要な桁数は、０１〜９９までの２桁で充足できる。従って、こゝまでに設定されるコード番号は、（０３−９９２−０８０２）の様に、電話番号と極めて酷似したものと成り、しかも、このコード番号は町名、丁目と番地で組成されており、このデーターベースを地図ソフトに関連付ける事によって、街路灯及び防犯灯をピンポイントにして、地図ソフト上で位置検索ができるのである。
政令指定された市、その他の市や町に於いては、この街路灯及び防犯灯が、路地裏に至るまで設置されており、網の目状のネットワークが構成されている。
前述の、町名が１００以上の場合は、コード番号が（０３−１０１２−０８０２）となる事が想定されるが、６大都市の区名−町名と丁目−番地と輪番の構成が確認でき、地図ソフトで番地までの位置検索が出来るのである。
街路灯及び防犯灯の末尾に設定された輪番は、地図ソフト上の番地内でスクロールしてポイントアップできる。
さて、この末尾の輪番をデーターベースの組成とは別枠とする理由は、住所番地の構成上、何々町・何丁目・何番・何号の様に、最後に号が設定されているのが普通である。しかし、街路灯及び防犯灯の設置場所に関しては、住所番地の号とは無関係に設置されている。
したがって、街路灯及び防犯灯の管理番号としては、末尾の輪番を別枠としてデーターベースの組成から外し、街区・町名・丁目・番地までのデーターベースを組成する。
一般的に街路灯及び防犯灯は、一市に数千〜数万灯が設置されており、この末尾の輪番をデーターベースに組成すれば、その灯数だけの項目をデーターベースに組成しなければならないのである。
ところが、丁目と番地までのデーターは、市によって異なるが、数百の項目であり、こゝでの番地の数字は単的な数として認識するので、データーベースに組成しても有効に検索条件となる。
この発明の重要な指針がこの一点にあり、街路灯及び防犯灯の管理体系として、極めて有効な位置検索方式である。
次に、街路灯及び防犯灯の管理番号と、そのデーターベースを組成し、かつ、地図ソフトとの連繋で管理体系を確立させた上で、これらの街路灯及び防犯灯が設置された電柱やポールに、ＩＣタグを内蔵した発信器を設置する事によって、ＩＣタグの情報を携帯電話に自動的に記憶させる事ができ、この記憶された情報を、他機である携帯電話からの通話信号で読み取る事ができる。
勿論、携帯電話には、ＨＴＭＬで組まれたソフトをダウンロードする必要があり、情報交換の当事者以外を排除するためのセキュリティーとして、暗証番号を設定しなければならない。
この事によって、当事者相互が携帯する携帯電話以外は、相手の位置確認が出来ない。
【発明の効果】
【０００６】  市町村の街路灯及び防犯灯は、その目的とする夜間の安全と防犯の要であり、その目的の趣旨を現実的に果たす事ができる。
特に、課題を解決するための手段で記述した、データーベースの組成には、市町村の町名と丁目との項目で組成する事が可能となり、都市圏の市の場合であっても、数百の項目で完成できる。
現在の地方や都市圏に於いては、人の交流が多く、他府県や他市からの訪問者は、その土地柄の様子に不案内であり、事故や犯罪に遭遇した場合に、その位置と住所が不明確である。
この様な土地不案内な場所でも、街路灯及び防犯灯の管理番号を通報すれば、的確に位置検索が可能になる。
ＩＣタグを装備すれば、地域の通学路に於いて、その学童の当事者間で密接な連係と位置確認が可能であり、この位置検索方式を通報システムとして、警察署や消防署との連係に活用する事も可能である。
さらに、ＧＰＳ機能との関連付けも可能であり、位置検索と標高検索とを結合すれば、地域のハザードマップが容易に作成できる。
【発明を実施するための最良の形態】
【０００７】  市町村の街路灯及び防犯灯の管理番号を、町名・丁目・番地と輪番に改変し、この管理番号に符号させたデーターベースを組成すると云う基本理念が、行政側に要請されるのであるが、個々の市町村に於ける対応には、独自性があり、位置検索に街路灯及び防犯灯を活用する方式は、個人情報保護法にも抵触する事も無い、最良の形態である。
【実施例】
【０００８】  市町村に設置されている街路灯及び防犯灯の管理番号を設定する。
都市圏の場合‥街区を２桁のコード番号を与える。
市町村の場合‥町名を２桁〜３桁のコード番号を与える。（標準は２桁）
市町村の場合‥丁目を１桁〜２桁のコード番号を与える。（標準は１桁）
丁目内の番地‥番地を２桁〜３桁のコード番号を与える。（標準は２桁）
灯の輪番    ‥輪番を２桁のコード番号として付設する。
都市圏最大の例示‥‥（０３−１０２１０−１００１０）
（  区−町名＋丁目−番地＋輪番  ）
都市圏標準の例示‥‥（０３−０２３−３００９）
（  区−町名＋丁目−番地＋輪番  ）
市町村の標準の例示‥‥‥（０２３−３００９）
（  町名＋丁目−番地＋輪番  ）
上記の管理番号を刻印したプレートを、それぞれの街路灯及び防犯灯に付設し、地図ソフト上にポイントマークと、管理番号を印字する。
他方、管理番号として設定したコード番号を基本に、データーベースを組成し、地図ソフトに結合して検索可能な状態にプログラムする。
プログラムの完成で、街路灯及び防犯灯の管理番号を入力すれば、その位置検索が地図ソフト上で可能となる。
地図ソフト上では、住所番地のポイントにセンターポイントがあり、この番地内の目標とする管理番号をスクロールして、センターポイントをゲットすれば、所定の位置検索が完了する。
さらに、この街路灯及び防犯灯に、ＩＣタグが設置されていれば、外部から携帯電話等で位置情報を通報する事が可能であり、ＩＣタグの情報の確認も迅速に可能である。
【産業上の利用可能性】
【０００９】  ＩＣタグの設置により、学童の移動確認や高齢者の移動確認も可能であり、管理面での状況報告も確実になる。さらに、ＧＰＳ機能を活用すれば、標高の選別が確認できるので、地域のハザードマップが作成できる。
さらに、このポイント周辺の現状が地図上で探査スクロールでき、環境の変化や、地下の活断層等々を探査できる。
つまり、街路灯及び防犯灯の位置をポイントとして、その周辺地域の状況を詳細に探査確認できる。